(57)【要約】【課題】使用者の排泄物に含まれる汚染物質の拡散を抑制できる衛生設備機器を提供することを目的とする。【解決手段】使用者が排泄を行うボウルを有する便器と、前記便器に洗浄水を供給して前記便器を洗浄する便器洗浄手段と、前記便器に対して開閉可能に設けられた便座と、前記便座に対して開閉可能に設けられ、閉じた状態において前記ボウルを覆う便蓋と、前記便蓋を開閉する駆動部と、前記便器洗浄手段と前記駆動部とを制御する制御部と、前記便座への前記使用者の着座を検知する着座検知手段と、を備え、前記制御部は、前記着座検知手段が前記使用者の離座を検知すると、前記便蓋を閉じるように前記駆動部を制御し、前記便蓋が閉じた状態において前記便器を洗浄するように前記便器洗浄手段を制御することを特徴とする衛生設備機器が提供される。【選択図】図１
2018062774.tif 000002
【特許請求の範囲】
【請求項１】
使用者が排泄を行うボウルを有する便器と、
前記便器に洗浄水を供給して前記便器を洗浄する便器洗浄手段と、
前記便器に対して開閉可能に設けられた便座と、
前記便座に対して開閉可能に設けられ、閉じた状態において前記ボウルを覆う便蓋と、
前記便蓋を開閉する駆動部と、
前記便器洗浄手段と前記駆動部とを制御する制御部と、
前記便座への前記使用者の着座を検知する着座検知手段と、
を備え、
前記制御部は、前記着座検知手段が前記使用者の離座を検知すると、前記便蓋を閉じるように前記駆動部を制御し、前記便蓋が閉じた状態において前記便器を洗浄するように前記便器洗浄手段を制御することを特徴とする衛生設備機器。
【請求項２】
前記ボウルに向けて前記使用者が排泄した尿量を測定する尿量測定手段をさらに備え、
前記制御部は、前記使用者の尿量の測定が終了したことを示す測定終了信号を受信すると、前記便蓋を閉じるように前記駆動部を制御し、前記便蓋が閉じた状態において前記便器を洗浄するように前記便器洗浄手段を制御することを特徴とする請求項１記載の衛生設備機器。
【請求項３】
前記使用者を検知する人体検知手段をさらに備え、
前記制御部は、
前記人体検知手段が前記使用者を検知すると前記便蓋を開くように前記駆動部を制御する第１モードと、
前記便蓋を開く制御を実行しない第２モードと、
を有し、前記着座検知手段が前記使用者の着座を検知したとき、または、前記便座が開いたときに、前記第１モードから前記第２モードへ切り替わり、前記便器洗浄手段による前記便器の洗浄が終了した後に前記第２モードから前記第１モードへ切り替わることを特徴とする請求項１または２に記載の衛生設備機器。
【請求項４】
前記制御部は、前記便器の洗浄中に前記便蓋に閉じる方向のトルクを発生させるように前記駆動部を制御することを特徴とする請求項１〜３のいずれか１つに記載の衛生設備機器。
【請求項５】
報知手段をさらに備え、
前記制御部は、前記便器が洗浄中であることを音及び光の少なくともいずれかにより報知するように前記報知手段を制御することを特徴とする請求項１〜４のいずれか１つに記載の衛生設備機器。
【発明の詳細な説明】
【技術分野】
【０００１】
本発明の態様は、一般的に、衛生設備機器に関する。
【背景技術】
【０００２】
使用者が腰掛けた姿勢で排泄行為を行う便器と、便蓋と、を有する衛生設備機器が使用されている。従来、便蓋は、便器に洗浄水を供給して排泄物を流す便器洗浄の後に、閉じられることが多かった。
【０００３】
一方、使用者の排泄物には、衛生設備機器やトイレルーム内を汚染する汚染物質が含まれていることがある。例えば、病院などの施設においては、感染症を患っている使用者、抗癌剤を投与されている使用者、放射線治療を受けている使用者などの排泄物には、細菌、薬剤、放射性物質などの汚染物質が含まれている場合がある。このため、使用者の排泄行為後や便器洗浄中に便蓋が開いたままとなっていると、汚染物質が拡散してしまう懸念がある。
【０００４】
これに対して、特許文献１に記載のトイレアセンブリにおいては、流水動作中に便蓋が閉じた位置に固定される。これにより、病原菌などによる汚染を抑制できることが記載されている。
【先行技術文献】
【特許文献】
【０００５】
【特許文献１】特許第５８７１２７８号
【発明の概要】
【発明が解決しようとする課題】
【０００６】
特許文献１に記載のトイレアセンブリにおいては、使用者の流水動作の指示があるまで、または、使用者が立ち去るまでは、便器の蓋が開いたままである。このときに汚染物質が拡散する恐れがある。また、特許文献１に記載のトイレアセンブリにおいては、流水動作の終了後、一定期間は便蓋が閉じた位置に固定されるため、使用者は、一定期間便器を使用することができない。便器が使用可能になるまで一定期間待つ行為は、使用者にとって、特に排泄行為を待つことができない疾病者にとって、大きな苦痛となる。このため、衛生設備機器において、汚染物質の拡散を抑制するにあたり、改善の余地があった。
【０００７】
本発明は、かかる課題の認識に基づいてなされたものであり、使用者の排泄物に含まれる汚染物質の拡散を抑制できる衛生設備機器を提供することを目的とする。
【課題を解決するための手段】
【０００８】
第１の発明は、使用者が排泄を行うボウルを有する便器と、前記便器に洗浄水を供給して前記便器を洗浄する便器洗浄手段と、前記便器に対して開閉可能に設けられた便座と、前記便座に対して開閉可能に設けられ、閉じた状態において前記ボウルを覆う便蓋と、前記便蓋を開閉する駆動部と、前記便器洗浄手段と前記駆動部とを制御する制御部と、前記便座への前記使用者の着座を検知する着座検知手段と、を備え、前記制御部は、前記着座検知手段が前記使用者の離座を検知すると、前記便蓋を閉じるように前記駆動部を制御し、前記便蓋が閉じた状態において前記便器を洗浄するように前記便器洗浄手段を制御することを特徴とする衛生設備機器である。
【０００９】
この衛生設備機器によれば、使用者の離座により便蓋が閉じられるため、使用者の排泄行為の終了後、速やかに便蓋を閉じることができる。また、便蓋が閉じた状態で便器が洗浄される。これにより、使用者の排泄物に含まれる汚染物質が拡散することを抑制できる。
【００１０】
第２の発明は、第１の発明において、前記ボウルに向けて前記使用者が排泄した尿量を測定する尿量測定手段をさらに備え、前記制御部は、前記使用者の尿量の測定が終了したことを示す測定終了信号を受信すると、前記便蓋を閉じるように前記駆動部を制御し、前記便蓋が閉じた状態において前記便器を洗浄するように前記便器洗浄手段を制御することを特徴とする衛生設備機器である。
【００１１】
この衛生設備機器によれば、測定終了信号により便蓋が閉じられるため、使用者の排尿の終了後、速やかに便蓋を閉じることができる。これにより、使用者の排泄物に含まれる汚染物質が拡散することを抑制できる。
【００１２】
第３の発明は、第１または第２の発明において、前記使用者を検知する人体検知手段をさらに備え、前記制御部は、前記人体検知手段が前記使用者を検知すると前記便蓋を開くように前記駆動部を制御する第１モードと、前記便蓋を開く制御を実行しない第２モードと、を有し、前記着座検知手段が前記使用者の着座を検知したとき、または、前記便座が開いたときに、前記第１モードから前記第２モードへ切り替わり、前記便器洗浄手段による前記便器の洗浄が終了した後に前記第２モードから前記第１モードへ切り替わることを特徴とする衛生設備機器である。
【００１３】
この衛生設備機器によれば、第１モードにおいては、使用者の検知によって便蓋が開くため、使い勝手を向上させることができる。一方、使用者が着座したとき、または、便座が開いたときから、便器の洗浄が終了するまでは、制御部は第２モードであり、便蓋を開く操作を受け付けない。これにより、排泄行為の終了後に適切に便蓋を閉じた状態とすることができる。
【００１４】
第４の発明は、第１〜第３のいずれか１つの発明において、前記制御部は、前記便器の洗浄中に前記便蓋に閉じる方向のトルクを発生させるように前記駆動部を制御することを特徴とする衛生設備機器である。
【００１５】
この衛生設備機器によれば、便器の洗浄中には、便蓋が開きにくい。これにより、便器の洗浄中に便蓋を閉じたままの状態とすることを使用者に促すことができる。また、便器をどうしても使用したい使用者は、便蓋を手で開くことも可能である。このため、使い勝手を維持しながら、使用者の排泄物に含まれる汚染物質が拡散することを抑制できる。
【００１６】
第５の発明は、第１〜第４のいずれか１つの発明において、報知手段をさらに備え、前記制御部は、前記便器が洗浄中であることを音及び光の少なくともいずれかにより報知するように前記報知手段を制御することを特徴とする衛生設備機器である。
【００１７】
この衛生設備装置によれば、報知手段によって、便器の洗浄中に便蓋を閉じたままの状態とすることを使用者に促すことができる。また、便器をどうしても使用したい使用者は、便蓋を手で開くことも可能である。このため、使い勝手を維持しながら、使用者の排泄物に含まれる汚染物質が拡散することを抑制できる。
【発明の効果】
【００１８】
本発明の態様によれば使用者の排泄物に含まれる汚染物質の拡散を抑制できる衛生設備機器が提供される。
【図面の簡単な説明】
【００１９】
【図１】実施形態に係る衛生設備機器が設置されたトイレルームを例示する斜視図である。
【図２】実施形態に係る衛生設備機器を例示するシステム構成図である。
【図３】実施形態に係る衛生設備機器の動作を例示するフローチャートである。
【発明を実施するための形態】
【００２０】
以下、本発明の実施の形態について図面を参照しつつ説明する。なお、各図面中、同様の構成要素には同一の符号を付して詳細な説明は適宜省略する。
【００２１】
図１は、実施形態に係る衛生設備機器が設置されたトイレルームを例示する斜視図である。  
図１に示すように、実施形態に係る衛生設備機器１は、便器２と、便座２００と、便蓋２０１と、を有する。
【００２２】
便器２は、例えば床置き式の洋風大便器（洋式腰掛便器）である。便座２００および便蓋２０１は、便器２の上に設けられている。  
また、この例では、衛生設備機器１は、便器２の後方に設けられた機能部５（尿量測定手段）を有する。機能部５は、使用者（被験者）が排泄する尿の量や、尿流率（単位時間当たり排泄尿量）などの排尿情報を測定する機能を有する。
【００２３】
トイレルームの壁面には、バーコード読取装置１０と、操作部１１と、が設置されている。操作部１１は、排尿情報測定用のリモコン１２と、便器用のリモコン１４と、を含む。リモコン１２には、排尿情報の測定開始を指示する測定開始スイッチや、排尿が終了したことを指示する排尿終了スイッチ等が設けられている。リモコン１４には、便器２の洗浄を指示するスイッチ等が設けられている。
【００２４】
機能部５の上には、データ出力装置１６が設けられている。データ出力装置１６は、機能部５の測定結果等を印刷するプリンタである。
【００２５】
図２は、実施形態に係る衛生設備機器を例示するシステム構成図である。  
図２に示すように、衛生設備機器１は、制御部４０５を有する。制御部４０５は、ＩＣ素子を含んだ制御回路である。例えば、使用者が操作部１１のスイッチを操作すると、操作に応じた信号が制御部４０５へ送信される。また、後述するセンサ（入室検知センサ、人体検知センサ、着座検知センサ）は、検知結果に関する信号を制御部４０５へ送信する。制御部４０５は、これらの信号に基づいて、衛生設備機器１の各機能を電気的に制御する。  
なお、実施形態においては、制御部４０５は、別々の基板上に設けられた２以上の回路でもよい。また、各回路が有線または無線により適宜接続されていてもよい。以下では、複数の回路が用いられた場合であっても、説明の便宜上、それらを制御部４０５と呼ぶ。
【００２６】
便器２は、使用者が排泄を行うボウル２２と、トラップ２４と、を有する。トラップ２４は、ボウル２２の下方に接続されている。また、便器２は、排水配管２６に接続されている。ボウル２２には、トラップ２４によって溜水２３が形成されている。溜水２３は、排水配管２６とボウル２２との間を遮断する封水の役割を持つ。特に、医療機関においては、患者や医療関係者が存在するトイレと、細菌、薬剤、放射性物質などの汚染物質が存在する可能性のある部分を分断するために重要である。
【００２７】
また、衛生設備機器１は、便器２のリムに配置されたリム吐水口２１５と、トラップ２４の下方に配置されたゼット吐水口５４１（便器洗浄手段）と、を有する。使用者は、便器２において排泄をした後、操作部１１の洗浄スイッチを押す。操作部１１の洗浄スイッチが押されると、操作部１１は、制御部４０５に洗浄信号を送信する。制御部４０５は、洗浄信号を受信すると、開閉弁を制御して、水道管などの給水源２０からの水（洗浄水）をリム吐水口２１５及びゼット吐水口５４１から吐出させる。ゼット吐水口５４１がトラップ２４内に水を吐出すると、トラップ２４においてサイフォン現象が発生する。このサイフォン現象によって、排水配管２６に負圧が発生する。その結果、ボウル２２内の溜水２３は、排水配管へ排出される。このように、リム吐水口２１５及びゼット吐水口５４１は、便器２に洗浄水を供給して便器２を洗浄する（便器洗浄）。
【００２８】
便座２００は、回転軸２００ａによって軸支されており、便器２に対して開閉可能に設けられている。図２には便座２００が開いた状態（上げられた状態）を示し、図１には便座２００が閉じた状態（下げられた状態）を示す。
【００２９】
便蓋２０１は、回転軸２０１ａによって軸支されており、便器２に対して開閉可能に設けられている。図１及び図２には、便蓋２０１が開いた状態を示す。また、図２には、一点鎖線で便蓋２０１が閉じた状態を示す。便蓋２０１は、閉じた状態において、ボウル２２及び便座２００を覆う。
【００３０】
また、衛生設備機器１は、便座２００を開閉する駆動部２００ｄと、便蓋２０１を開閉する駆動部２０１ｄと、を有する。  
駆動部２０１ｄは、例えば、歯車などの部材を介して回転軸２０１ａと係合したモータを有する。モータの駆動によって生じたトルクは、回転軸２０１ａを介して便蓋２０１に伝達される。このようにして、駆動部２０１ｄは、便蓋２０１に、閉じる方向のトルク、及び、開く方向のトルクを発生させることができる。  
同様に、駆動部２００ｄは、便座２００に、閉じる方向、及び、開く方向のトルクを発生させることができる。
【００３１】
また、衛生設備機器１は、入室検知センサ４０２（人体検知手段）と、人体検知センサ４０３（人体検知手段）と、着座検知センサ４０４と、を有する。
【００３２】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。また、着座検知センサ４０４を用いて、使用者が便座２００から立ち上がったこと（離座）を検知することができる。
【００３３】
また、人体検知センサ４０３は、便器２の前方にいる使用者、すなわち便座２００から前方へ離間した位置に存在する使用者を検知することができる。つまり、人体検知センサ４０３は、トイレルームに入室して便座２００に近づいてきた使用者を検知することができる。このような人体検知センサ４０３としては、例えば、赤外線投受光式の測距センサなどを用いることができる。
【００３４】
また、入室検知センサ４０２は、トイレルームのドアを開けて入室した直後の使用者や、トイレルームに入室しようとしてドアの前に存在する使用者を検知することができる。つまり、入室検知センサ４０２は、トイレルームに入室した使用者だけではなく、トイレルームに入室する前の使用者、すなわちトイレルームの外側のドアの前に存在する使用者を検知することができる。このような入室検知センサ４０２としては、焦電センサや、ドップラーセンサなどのマイクロ波センサなどを用いることができる。また、入室検知センサ４０２を用いて、使用者がトイレルームから立ち去ったこと（退室）を検知することができる。
【００３５】
図１の例では、着座検知センサ４０４、人体検知センサ４０３および入室検知センサ４０２は、便器２の後部の上に設けられたケーシング４００に設けられている。但し、これらのセンサの設置形態は、これに限定されるわけではなく、適宜変更することができる。
【００３６】
また、図２に示すように、機能部５は、水位形成管５１１と、圧力センサ５１２と、開閉弁５２１と、を有する。これらの各要素の動作は、制御部４０５によって制御される。開閉弁は、例えば、電力によって開閉する電磁弁である。なお、図２では、機能部５の要部のみを示している。
【００３７】
機能部５は、管路５４３及びゼット吐水口５４１を介して、トラップ２４及びボウル２２と接続されている。管路５４３の途中には、開閉弁５４４が設けられている。開閉弁５４４を閉じることによって、便器２と機能部５との接続を解除できる。
【００３８】
管路５４３は、開閉弁５２１を介して、水位形成管５１１と接続されている。水位形成管５１１は、鉛直方向に延び、所定の高さを有する立管部である。また、水位形成管５１１の一端は、大気に開放されている。
【００３９】
開閉弁５４４、開閉弁５２１が開くと、水位形成管５１１は、ボウル２２と連通する。これにより、ボウル２２、水位形成管５１１及び管路５４３によって両端が大気に開放されたＵ字状の管路が形成される。そのため、水位形成管５１１内の水位と溜水２３の水位とが同じになる。圧力センサ５１２（水位センサ）は、水位形成管５１１内の水の圧力（水頭圧）を測定し、測定結果（電圧値）を制御部４０５に出力する。制御部４０５は、圧力センサ５１２の測定結果から溜水２３の水位を算出する。溜水２３の水位の変化から使用者の排尿情報（尿量、尿流率（単位時間当たり排泄尿量）など）を算出することができる。
【００４０】
なお、実施形態において、排尿情報の測定方法は、溜水２３の水位の変化に基づく方法には限られず、任意である。例えば、便器２内の溜水２３の重量の変化に基づいて排尿情報を測定してもよい。また、実施形態において、機能部５は、必ずしも設けられなくてもよい。
【００４１】
図３は、実施形態に係る衛生設備機器の動作を例示するフローチャートである。  
例えば、衛生設備機器１の待機時（不使用時）において、便座２００及び便蓋２０１のそれぞれは、閉まった状態である。  
また、待機時において、制御部４０５は第１モードで動作している。第１モードは、人体検知手段（入室検知センサ４０２）が使用者を検知すると、制御部４０５が便蓋２０１を開くように駆動部２０１ｄを制御するモードである。  
すなわち、図３に示したように、使用者がトイレルームに入室すると、人体検知手段は、使用者を検知し、制御部４０５に検知結果に関する信号を送信する（ステップＳ１０１：Ｙ）。制御部４０５は、この信号に基づいて、駆動部２０１ｄの動作を制御し、便蓋２０１を開く（ステップＳ１０２）。
【００４２】
その後、例えば、使用者が立った状態で排尿を行う場合には、使用者は、リモコン１４に設けられた便座開スイッチを押す（ステップＳ１０３：Ｙ）。これにより、リモコン１４は、制御部４０５に便座開信号を送信する。
【００４３】
制御部４０５は、受信した便座開信号に基づいて、使用者が立位排尿を行うと判断する（ステップＳ１０４）。また、制御部４０５は、受信した便座開信号に基づいて、駆動部２００ｄの動作を制御し、便座２００を開く（ステップＳ１０５）。
【００４４】
なお、ステップＳ１０３において、使用者は、便座２００を手で開いてもよい。例えば、ケーシング４００には、便座２００や便蓋２０１の開閉状態を検知する開閉検知センサが設けられており、開閉検知センサは、便座２００が開くと検知結果を制御部４０５に送信する。これにより、制御部４０５は、使用者が立位排尿を行うと判断する。開閉検知センサには、例えば、便座２００が便器２から一定角度以上開くと便座２００の開状態を検知するマイクロスイッチを用いることができる。
【００４５】
また、制御部４０５は、便座２００が開いたときに、第１モードから第２モードへ切り替わる。第２モードは、制御部４０５が便蓋２０１を開く制御を実行しないモードである。なお、「便座２００が開いたとき」とは、制御部４０５が便座開信号を受信したとき、および、センサから便座２００が開いたことを示す信号を受信したとき、を含むものとする。
【００４６】
例えば、第２モード中において、便蓋２０１が閉じられ、その後、使用者がリモコン１４に設けられた便蓋開スイッチを押しても、制御部４０５は、便蓋２０１を開かない。また、例えば、第２モード中において、便蓋２０１が閉じられ、その後、使用者の入退室によって人体検出手段が再び使用者を検知しても、制御部４０５は、便蓋２０１を開かない。
【００４７】
その後、使用者が制御部４０５に尿量測定の測定開始信号を送ることで、測定が開始される（ステップＳ１０６）。例えば、使用者はバーコードタグを有しており、そのバーコードタグがバーコード読取装置１０に翳されると、バーコード読取装置１０は、排尿情報の測定開始信号を制御部４０５に送信する。
【００４８】
制御部４０５は、測定開始信号を受信すると、開閉弁５２１を開く。このとき、水位形成管５１１内の水位は、ボウル２２内の溜水２３の水位と同じになる。
【００４９】
衛生設備機器１が排尿情報測定可能状態となると、リモコン１２に設けられた液晶画面１２ａは、「排尿してください」と表示する。その後、使用者は、ボウル２２に排尿動作を行う（ステップＳ１０７）。使用者の排尿動作が終了すると、ボウル２２内の溜水２３の水位は、ボウル２２内に排出された尿の量に応じて上昇する。同時に、水位形成管５１１内の水位も、同じ分だけ上昇する。
【００５０】
その後、使用者は、制御部４０５へ、測定（排尿）が終了したことを示す測定終了信号を送信する（ステップＳ１０８）。例えば、リモコン１２に設けられた測定終了スイッチを押すことで、測定終了信号を送信することができる。
【００５１】
制御部４０５が測定終了信号を受信すると、制御部４０５の指示によって、圧力センサ５１２は、水位形成管５１１内の圧力を測定し、測定結果を制御部４０５へ出力する。制御部４０５は、この測定結果と、予め記憶された溜水２３の水位と水量の関係式とから、ボウル２２内の上昇水量、すなわち使用者の尿量を算出する。
【００５２】
また、制御部４０５は、使用者の尿量だけでなく、例えば、排尿時間（秒）、最大尿流率（ｍＬ／秒）、平均尿流率（ｍＬ／秒）、最大尿流率到達時間（秒）、ためらい時間（秒）、などの排尿情報を算出する。排尿時間とは、ボウル２２への尿の排出が開始してから、ボウル２２への尿の排出が終了するまでの時間である。尿流率は、単位時間当たりの尿量、すなわち排尿速度である。最大尿流率は、尿流率の最大値である。平均尿流率は、尿流率の平均値である。最大尿流率到達時間とは、排尿が開始されてから、尿流率が最大値になるまでの時間である。ためらい時間とは、液晶画面１２ａに、「排尿してください」と表示されてから、排尿が開始されるまでの時間である。制御部４０５による排尿情報の算出が終了すると、データ出力装置１６は、算出された排尿情報をプリントアウトする。
【００５３】
また、制御部４０５は、測定終了信号を受信すると、便座２００を閉じるように駆動部２００ｄを制御し、便蓋２０１を閉じるように駆動部２０１ｄを制御する。これにより、便座２００及び便蓋２０１が閉じる（ステップＳ１０９）。
【００５４】
便座２００及び便蓋２０１が閉じると、制御部４０５は、便蓋２０１に閉じる方向のトルク（負荷トルク）を発生させるように駆動部２０１ｄを制御する（ステップＳ１１０）。これにより、使用者が手で便蓋２０１を開きにくくなる。このような駆動部２０１ｄの制御は、この後の便器洗浄中および便器洗浄の終了後一定期間続けられる。
【００５５】
また、衛生設備機器１は報知手段を有し、制御部４０５は、この報知手段を制御して、便器洗浄が行われること、又は、便器洗浄中であること、を音及び光の少なくともいずれかにより報知する。
【００５６】
報知手段には、例えば、リモコン１２などに設けられた表示部（液晶画面やＬＥＤなど）や、リモコン１２などに設けられたスピーカなどを用いることができる。これにより、表示による報知（ステップＳ１１１）や、音による報知（ステップＳ１１２）が行われる。例えば、報知手段は、使用者が便蓋２０１を開こうとすると、使用者に便蓋２０１を開かないように促すことができる。このような報知は、この後の便器洗浄中および便器洗浄の終了後一定期間続けられる。
【００５７】
その後、例えば使用者がリモコン１４に設けられた洗浄スイッチ１４ａを押す。すると、制御部４０５は、便器洗浄手段の動作（ゼット吐水口５４１の吐水）を制御して、便器洗浄を行う（ステップＳ１１３）。
【００５８】
便器洗浄が終了し（ステップＳ１１４：Ｙ）、一定期間が経過すると、制御部４０５は、駆動部２０１ｄを制御して負荷トルクの発生を停止する（ステップＳ１１５）。また、制御部４０５は、報知手段による報知を停止する。
【００５９】
また、便器洗浄が終了し、一定期間が経過すると、制御部４０５は、第２モードから第１モードへ切り替わる。また、便器洗浄を行うことにより、溜水２３の水位は、所定の水位にセットされ、その後、開閉弁５２１は閉じられる。そして、衛生設備機器１は、待機状態に戻る。
【００６０】
なお、この例では、制御部４０５は、測定終了信号を受信することでステップＳ１０９〜Ｓ１１２を実行するが、例えば、便器洗浄スイッチが押されたことを示す洗浄信号を受信することで、ステップＳ１０９〜Ｓ１１５を実行してもよい。
【００６１】
使用者が座った状態で排尿を行う場合には、使用者は、便座２００に着座する。着座検知センサ４０４は、使用者の着座を検知して、使用者が着座したことを示す着座信号を制御部４０５に送信する。制御部４０５は、この着座信号に基づいて、使用者が座位排尿を行うと判断する（ステップＳ１１６）。また、制御部４０５は、着座信号を受信することで、第１モードから第２モードへ切り替わる。
【００６２】
その後、使用者は、ステップＳ１０６〜ステップＳ１０８に関する説明と同様に、測定を開始し（ステップＳ１１７）、排尿動作を行い（ステップＳ１１８）、測定を終了する（ステップＳ１１９）。これにより、排尿情報が測定される。
【００６３】
座位排尿が行われた場合、制御部４０５は、測定終了信号を受信すると、使用者が離座したかどうかを判定する。使用者が着座したままである場合（ステップＳ１２０：Ｎ）、制御部４０５は、表示部やスピーカを用いて、表示や音によって使用者に離座するように促す（ステップＳ１２１）。
【００６４】
使用者が離座すると（ステップＳ１２０：Ｙ）、着座検知センサ４０４は、使用者の離座を検知し、使用者が離座したことを示す離座信号を制御部４０５に送信する。
【００６５】
制御部４０５は、離座信号を受信すると、便蓋２０１を閉じるように駆動部２０１ｄを制御する。これにより、便蓋２０１が閉じる（ステップＳ１２２）。
【００６６】
その後、制御部４０５は、ステップＳ１０９〜ステップＳ１１４と同様に、便蓋２０１に負荷トルクを発生させ（ステップＳ１２３）、報知手段による報知を行い（ステップＳ１２４及びステップＳ１２５）、便器洗浄を行う（ステップＳ１２６）。
【００６７】
便器洗浄が終了し（ステップＳ１２７：Ｙ）、一定期間が経過すると、制御部４０５は、駆動部２０１ｄを制御して負荷トルクの発生を停止する（ステップＳ１２８）。また、制御部４０５は、報知手段による報知を停止する。
【００６８】
また、便器洗浄が終了し、一定期間が経過すると、制御部４０５は、第２モードから第１モードへ切り替わる。
【００６９】
なお、この例では、制御部４０５は、測定終了信号を受信することでステップＳ１２０〜ステップＳ１２５を実行するが、例えば、便器洗浄スイッチが押されたことを示す洗浄信号を受信することで、ステップＳ１２０〜ステップＳ１２８を実行してもよい。この場合、使用者が便座２００に座ったままの状態では、便器洗浄スイッチが押されても便器洗浄は行われず、制御部４０５は表示や音により使用者に離座することを促す。使用者の離座が検知されると、ステップＳ１２２〜Ｓ１２８が実施される。
【００７０】
また、使用者が便器洗浄スイッチや測定終了スイッチを押さなかった場合には、人体検知手段が使用者の退室を検知することで、ステップＳ１０９〜Ｓ１１５及びＳ１２２〜Ｓ１２８が実行されてもよい。
【００７１】
以上、実施形態に係る衛生設備機器１の動作について説明した。  
衛生設備機器１においては、ステップＳ１２０〜Ｓ１２２のように、制御部４０５は、使用者の離座により便蓋２０１を閉じるため、使用者の排泄行為の終了後、速やかに便蓋２０１を閉じることができる。これにより、使用者の排泄物に含まれる汚染物質（細菌、薬剤、放射性物質など）が拡散することを抑制できる。  
また、便器洗浄が行われると水が流れることで、汚染物質が拡散しやすくなる恐れがあるが、実施形態に係る衛生設備機器１においては、便蓋２０１が閉じた状態で便器２が洗浄される。これにより、使用者の排泄物に含まれる汚染物質が拡散することを抑制できる。
【００７２】
また、立位排尿時においても、ステップＳ１０８〜Ｓ１０９のように、制御部４０５は、測定終了信号により便蓋２０１を閉じるため、使用者の排泄行為の終了後、速やかに便蓋２０１を閉じることができる。
【００７３】
また、制御部４０５の第１モードにおいては、使用者の検知よって便蓋２０１が開くため、使い勝手を向上させることができる。一方、使用者が着座したとき、又は、便座２００が開いたときから、便器洗浄が終了するまでは、制御部４０５は第２モードであり、便蓋２０１を開く操作を受け付けない。これにより、排泄行為の終了後に適切に便蓋を閉じた状態とすることが可能となる。
【００７４】
また、便器２の洗浄中には、便蓋２０１に負荷トルクが発生し、報知手段による報知が行われる。これにより、便器洗浄中に便蓋２０１を閉じたままの状態とすることを使用者に促すことができる。
【００７５】
便器洗浄中に便蓋を閉じた位置に固定した場合、便器洗浄が終了するまで使用者は排泄行為を行うことができない。そのため、排泄物を失禁してしまう虞が有り、患者に精神的な問題を与えてしまうことに加え、失禁に係わる清掃や洗濯が必要な可能性がある。したがって、使用者に大きな苦痛を与えてしまうおそれがある。これに対して、実施形態に係る衛生設備機器１では、負荷トルクや報知手段により使用者に注意を促す構成が用いられている。このため、便器２をどうしても使用したい使用者は、便蓋２０１を手で開くことも可能である。このため、使い勝手を維持しながら、使用者の排泄物に含まれる汚染物質が拡散することを抑制できる。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器、便座、便蓋、駆動部、制御部、便器洗浄手段、着座検知手段、人体検知手段、尿量測定手段などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１ 衛生設備機器、  ２ 便器、  ５ 機能部、  １０ バーコード読取装置、  １１ 操作部、  １２ リモコン、  １２ａ 液晶画面、  １４ リモコン、  １４ａ 洗浄スイッチ、  １６ データ出力装置、  ２０ 給水源、  ２２ ボウル、  ２３ 溜水、  ２４ トラップ、  ２６ 排水配管、  ２００ 便座、  ２００ａ 回転軸、  ２００ｄ 駆動部、  ２０１ 便蓋、  ２０１ａ 回転軸、  ２０１ｄ 駆動部、  ２１５ リム吐水口、  ４００ ケーシング、  ４０２ 入室検知センサ、  ４０３ 人体検知センサ、  ４０４ 着座検知センサ、  ４０５ 制御部、  ５１１ 水位形成管、  ５１２ 圧力センサ、  ５２１ 開閉弁、  ５４１ ゼット吐水口、  ５４３ 管路、  ５４４ 開閉弁
【図１】
2018062774.tif 000003
【図２】
2018062774.tif 000004
【図３】
2018062774.tif 000005